(57)【要約】【課題】整流板の被係止部材に係止部材を係止する作業が容易となるレンジフードを提供する。【解決手段】レンジフード１は、整流板３０と、フード１０とを備えている。整流板３０は、被係止部材３１を含んでいる。フード１０は、整流板３０の被係止部材３１に係止可能な係止部材１００を含んでいる。フード１０の係止部材１００は、保持部１０３と、突起部１０４と、第１軸１０５とを含んでいる。突起部１０４は、被係止部材３１に当接可能な当接部を有し、かつ保持部１０３から第１方向Ｄ１に向けて突き出している。第１軸１０５は、第１方向Ｄ１において突起部１０４の当接部よりも保持部１０３側かつ突起部１０４の下側で保持部１０３を回転支持する。【選択図】図５
2020106236.tif 000002
【特許請求の範囲】
【請求項１】
被係止部材を含む整流板と、
前記整流板の前記被係止部材に係止可能な係止部材を含むフードとを備え、
前記フードの前記係止部材は、
保持部と、
前記被係止部材に当接可能な当接部を有し、かつ前記保持部から第１方向に向けて突き出す突起部と、
前記第１方向において前記突起部の前記当接部よりも前記保持部側かつ前記突起部の下側で前記保持部を回転支持する第１軸とを含む、レンジフード。
【請求項２】
前記係止部材は、前記第１方向において前記突起部の前記当接部よりも前記保持部側かつ前記突起部の上側で前記保持部を回転支持する第２軸を含み、
前記保持部は、前記第１軸が挿入されかつ前記第１軸に対して上下方向に移動可能な第１溝部と、前記第２軸が挿入されかつ前記第２軸に対して前記上下方向に移動可能な第２溝部とを含み、
前記第１溝部は、第１下部と、前記第１下部から上方に突き出す第１上部とを含み、
前記第２溝部は、第２下部と、前記第２下部から前記上方に突き出す第２上部とを含み、
前記第１軸が前記第１溝部の前記第１上部に嵌合し、かつ前記第２軸が前記第２溝部の前記第２上部に嵌合した状態で、前記保持部は、回転を抑制するように構成されている、請求項１に記載のレンジフード。
【請求項３】
前記保持部が前記上方に向けて移動することにより前記第１軸と前記第１溝部の前記第１上部との嵌合が解除され、かつ前記第２軸が前記第２溝部の前記第２上部に嵌合した状態で、前記保持部は、前記第２軸を中心に回転するように構成されている、請求項２に記載のレンジフード。
【請求項４】
前記係止部材は、弾性部材を含み、
前記弾性部材は、前記保持部に対して前記突起部と反対側に配置されており、かつ前記保持部を前記第１方向に付勢するように構成されている、請求項１〜３のいずれか１項に記載のレンジフード。
【請求項５】
前記突起部は、傾斜部を含み、
前記傾斜部は、前記第１方向と反対の第２方向に向けて下方へ斜めに延びるように構成されている、請求項１〜４のいずれか１項に記載のレンジフード。
【発明の詳細な説明】
【技術分野】
【０００１】
本発明はレンジフードに関するものである。
【背景技術】
【０００２】
レンジフードでは、油等が付着するため、清掃作業が必要である。清掃時には、レンジフードのフードから整流板が取り外されることが好ましい。そのため、フードに整流板が着脱可能に取り付けられたレンジフードが提案されている。このレンジフードは、たとえば特開２００３−２４０３００号公報（特許文献１）に記載されている。
【０００３】
この公報に記載されたレンジフードは、フードに支持された可動突起を備えている。可動突起は、弾性部材により付勢されている。可動突起は、軸部先端に拡大頭部を有している。また、レンジフードは、フードの可動突起に係止される被係止部材を有する整流板を備えている。整流板の被係止部材は、可動突起の拡大頭部を押すことで弾性部材の付勢力に抗して移動させる先部と、可動突起の拡大頭部よりも大きな空間部および空間部に連通する受け部が設けられた中央部とを含んでいる。
【０００４】
整流板が引き上げられることにより被係止部材の先部が可動突起の拡大頭部を押すことで、可動突起の拡大頭部が弾性部材の付勢力に抗して移動する。整流板がさらに引き上げられて可動突起の拡大頭部が被係止部材の中央部に設けられた空間部に位置すると、弾性部材の付勢力により可動突起の軸部が空間部に挿入される。可動突起の軸部が空間部に挿入された状態で整流板が引き下ろされることにより可動突起の軸部に受け部が係止される。このようにして、整流板の被係止部材は、可動突起に交差状に係止される。
【先行技術文献】
【特許文献】
【０００５】
【特許文献１】特開２００３−２４０３００号公報
【発明の概要】
【発明が解決しようとする課題】
【０００６】
上記公報に記載されたレンジフードでは、組み立て誤差などによって整流板の被係止部材の位置がずれると、フードの可動突起の拡大頭部よりも根元側に整流板の被係止部材の先部が当接することがある。この場合、整流板の被係止部材の先部で可動突起の拡大頭部を押すことにより可動突起を弾性部材の付勢力に抗して移動させることは困難である。そのため、整流板の被係止部材に可動突起（係止部材）を係止する作業が困難となる。
【０００７】
本発明は上記課題に鑑みてなされたものであり、その目的は、整流板の被係止部材に係止部材を係止する作業が容易となるレンジフードを提供することである。
【課題を解決するための手段】
【０００８】
本発明のレンジフードは、整流板と、フードとを備えている。整流板は、被係止部材を含んでいる。フードは、整流板の被係止部材に係止可能な係止部材を含んでいる。フードの係止部材は、保持部と、突起部と、第１軸とを含んでいる。突起部は、被係止部材に当接可能な当接部を有し、かつ保持部から第１方向に向けて突き出している。第１軸は、第１方向において突起部の当接部よりも保持部側かつ突起部の下側で保持部を回転支持する。
【発明の効果】
【０００９】
本発明のレンジフードによれば、第１軸は、第１方向において突起部の当接部よりも保持部側かつ突起部の下側で保持部を回転支持する。このため、整流板の被係止部材が突起部の当接部に当接したときに、保持部は第１軸を中心に回転する。したがって、整流板の被係止部材の位置がずれた場合でも、保持部は第１軸を中心に回転することが容易である。よって、被係止部材の位置のずれを許容できるため、整流板の被係止部材にフードの係止部材を係止する作業が容易となる。
【００１０】
上記のレンジフードにおいて、係止部材は、第２軸を含んでいる。第２軸は、第１方向において突起部の当接部よりも保持部側かつ突起部の上側で保持部を回転支持する。保持部は、第１溝部と、第２溝部とを含んでいる。第１溝部は、第１軸が挿入されかつ第１軸に対して上下方向に移動可能に構成されている。第２溝部は、第２軸が挿入されかつ第２軸に対して上下方向に移動可能に構成されている。第１溝部は、第１下部と、第１上部とを含んでいる。第１上部は、第１下部から上方に突き出している。第２溝部は、第２下部と、第２上部とを含んでいる。第２上部は、第２下部から上方に突き出している。第１軸が第１溝部の第１上部に嵌合し、かつ第２軸が第２溝部の第２上部に嵌合した状態で、保持部は、回転を抑制するように構成されている。このため、第１軸が第１溝部の第１上部に嵌合し、かつ第２軸が第２溝部の第２上部に嵌合することにより、保持部の回転を抑制することができる。
【００１１】
上記のレンジフードにおいて、保持部が上方に向けて移動することにより第１軸と第１溝部の第１上部との嵌合が解除され、かつ第２軸が第２溝部の第２上部に嵌合した状態で、保持部は、第２軸を中心に回転するように構成されている。このため、保持部が上方に向けて移動することにより第１軸と第１溝部の第１上部との嵌合が解除され、かつ第２軸が第２溝部の第２上部に嵌合することにより、保持部が第２軸を中心に回転する。これにより、整流板の被係止部材へのフードの係止部材の係止を解除することができる。したがって、整流板の被係止部材へのフードの係止部材の係止を解除する作業が容易となる。
【００１２】
上記のレンジフードにおいて、係止部材は、弾性部材を含んでいる。弾性部材は、保持部に対して突起部と反対側に配置されており、かつ保持部を第１方向に付勢するように構成されている。このため、弾性部材により保持部を第１方向に付勢することができる。したがって、保持部が回転したときに弾性部材により保持部を回転する前の状態に戻すことができる。
【００１３】
上記のレンジフードにおいて、突起部は、傾斜部を含んでいる。傾斜部は、第１方向と反対の第２方向に向けて下方へ斜めに延びるように構成されている。このため、整流板の被係止部材が下方から突起部の当接部に当接したときに、保持部は第１軸を中心に上方へ回転し易くなる。
【図面の簡単な説明】
【００１４】
【図１】本発明の一実施の形態に係るレンジフードの構成を下方から示す斜視図である。
【図２】図２に示されるレンジフードの整流板が開かれた状態を示す斜視図である。
【図３】図１のＩＩＩ−ＩＩＩ線に沿う断面図であってフードの周辺を示す図である。
【図４】図１のＩＶ−ＩＶ線に沿う断面図である。
【図５】図４のＶ部を拡大して示す断面図である。
【図６】本発明の一実施の形態に係るレンジフードの係止部材を示す斜視図である。
【図７】本発明の一実施の形態に係るレンジフードの係止部材を示す分解斜視図である。
【図８】本発明の一実施の形態に係るレンジフードの係止部材への整流板の装着時に係止部材の突起部に整流板の被係止部材が当接した状態を示す断面図である。
【図９】本発明の一実施の形態に係るレンジフードの係止部材への整流板の装着時に係止部材の突起部が整流板の被係止部材に押されることにより保持部が回転した状態を示す断面図である。
【図１０】本発明の一実施の形態に係るレンジフードの係止部材への整流板の保持状態を示す断面図である。
【図１１】本発明の一実施の形態に係るレンジフードの係止部材からの整流板の取外し状態における突起部が押し込まれた様子を示す断面図である。
【図１２】本発明の一実施の形態に係るレンジフードの係止部材からの整流板の取外し状態における突起部が押されることにより保持部が回転した様子を示す断面図である。
【図１３】本発明の一実施の形態に係るレンジフードの第１軸および第２軸と保持部との上下方向の位置関係を示す断面図である。
【発明を実施するための形態】
【００１５】
以下、本発明の実施の形態について図に基づいて説明する。なお、以下の図においては、同一または相当する部分に同一の符号を伏すものとし、重複する説明は繰り返さない。
【００１６】
図１〜図４を参照して、本発明の一実施の形態に係るレンジフード１の構成について説明する。本実施の形態では、レンジフード１が設置された状態に基づいて説明する。レンジフード１が設置された状態では、レンジフード１の下部にフード１０が配置される。
【００１７】
図１に示されるように、本実施の形態に係るレンジフード１は、たとえばコンロ（図示せず）の上方に配置されるものである。レンジフード１は、調理で発生した蒸気、燃焼ガス、油煙等を吸い込んで室外に排出するように構成されている。レンジフード１は、フード１０と、本体部２０と、整流板３０とを備えている。
【００１８】
フード１０は、上面１０ａ、下面１０ｂ、前面１０ｃ、後面１０ｄ、右側面１０ｅ、左側面１０ｆを有している。フード１０の下面１０ｂには吸込口１１が設けられている。フード１０の吸込口１１の内側には、内装パネル１２と、整流板３０とが装着されている。整流板３０は、吸込口１１の中央を覆うように配置されており、吸込口１１の外縁部には配置されていない。整流板３０と内装パネル１２との間に隙間１３が設けられている。整流板３０と内装パネル１２との間の隙間１３は、吸込口１１の外縁部に配置されている。
【００１９】
吸込口１１および整流板３０は、平面視において略長方形状を有している。整流板３０と、内装パネル１２との間の隙間１３は、平面視において環状に設けられている。整流板３０と、内装パネル１２との間の隙間１３は、本体部２０の内部に通じている。
【００２０】
図２に示されるように、内装パネル１２にはベルマウス１４が設けられている。ベルマウス１４の上端に流入口１５が設けられている。整流板３０と内装パネル１２との間の隙間１３は、流入口１５を介して本体部２０の内部に通じている。流入口１５は、本体部２０の内部を介して流出口（図示せず）に通じている。流出口（図示せず）は、たとえば本体部２０の上面に設けられている。
【００２１】
本体部２０は、本体ハウジング２１、ファン２２、スピンナー２３、モータ（図示せず）および制御装置（図示せず）などを備えている。本体ハウジング２１の内部空間には、ファン２２、スピンナー２３、モータ（図示せず）および制御装置（図示せず）などが配置されている。
【００２２】
本体ハウジング２１は、フード１０の上面１０ａに接続されている。本体ハウジング２１は、フード１０の前面１０ｃよりも後面１０ｄの近くに配置されている。本体ハウジング２１は、前後方向において中心よりも後側に配置されている。本体ハウジング２１は、フード１０の右側面１０ｅと左側面１０ｆとの間の中央に配置されている。本体ハウジング２１は、左右方向において中央に配置されている。本体ハウジング２１は、箱形状を有している。本体ハウジング２１は、平面視において略長方形状を有している。
【００２３】
ファン２２は、フード１０の流入口１５から本体ハウジング２１の内部空間を通って流出口（図示せず）に空気を流すように構成されている。ファン２２は、フード１０の流入口１５の上方に配置されている。ファン２２は、たとえばシロッコファンである。ファン２２は、複数のブレード２２ａを含んでいる。複数のブレード２２ａは、ファン２２の周方向に一定のピッチで配置されている。
【００２４】
スピンナー２３は、ファン２２をモータ（図示せず）に接続可能に構成されている。ファン２２は、スピンナー２３によってモータ（図示せず）に着脱可能に取り付けられている。モータ（図示せず）は、たとえばＡＣ（Alternating  Current）モータである。モータ（図示せず）の回転軸にファン２２およびスピンナー２３が取り付けられている。制御装置（図示せず）は、レンジフード１を制御するように構成されている。制御装置（図示せず）は、演算、指示等を行ってレンジフード１の各手段、機器等を制御するように構成されている。
【００２５】
フード１０の内装パネル１２に係合部材１６が接続されている。本実施の形態では、２つの係合部材１６が設けられている。２つの係合部材１６は、左右方向の両側に１つずつ配置されている。係合部材１６は、フード１０の内装パネル１２から下方に向けて突き出すように設けられている。係合部材１６は、フード１０の内装パネル１２から下方に延びる２つの上下延在部と、２つの上下係合部の各々をつなぐように左右方向に延びる左右延在部とを有している。係合部材１６は、円柱形状を有している。係合部材１６は、全体として略Ｕ字形状を有している。
【００２６】
フード１０は、係止部材１００を含んでいる。係止部材１００は、フード１０の内装パネル１２に接続されている。本実施の形態では、２つの係止部材１００が設けられている。２つの係止部材１００は、内装パネル１２の左右方向の両側に１つずつ配置されている。２つの係止部材１００は、内装パネル１２の前側に配置されている。係止部材１００は、フード１０の内装パネル１２から下方に向けて突き出すように設けられている。係止部材１００は、整流板３０の被係止部材３１に係止可能に構成されている。
【００２７】
図１および図２に示されるように、整流板３０は、フード１０に着脱可能に取り付けられている。また、整流板３０は、フード１０に開閉可能に取り付けられている。図２中矢印Ａで示されるように、整流板３０は、整流板３０がフード１０に係合された部分を回転軸にして上下方向に回転することにより、フード１０の流入口１５を開閉するように構成されている。
【００２８】
整流板３０は、整流板３０が閉じられた状態で、上側に位置する上面３０ａと、下側に位置する下面３０ｂとを含んでいる。整流板３０は、被係止部材３１と、被係合部材３２と、ストッパー部材３３とを含んでいる。
【００２９】
被係止部材３１は、整流板３０の上面３０ａに設けられている。本実施の形態では、２つの被係止部材３１が設けられている。２つの被係止部材３１は、整流板３０の左右方向の両側に１つずつ配置されている。整流板３０の２つの被係止部材３１の各々は、フード１０の２つの係止部材１００の各々にそれぞれ対応する位置に配置されている。整流板３０の被係止部材３１は、整流板３０が閉じられた状態で、整流板３０の上面３０ａから上方へ突き出すように構成されている。整流板３０の被係止部材３１は、整流板３０が閉じられた状態でフード１０の係止部材１００に係止され、整流板３０が開かれた状態でフード１０の係止部材１００との係止が解除されるように構成されている。
【００３０】
被係止部材３１は、被係止本体部３１ａと、被係止孔３１ｂとを有している。被係止本体部３１ａは、板形状を有している。被係止孔３１ｂは、被係止本体部３１ａの板形状を板厚方向に貫通するように設けられている。被係止孔３１ｂは、被係止本体部３１ａの中央に設けられている。被係止部材３１の被係止孔３１ｂは、係止部材１００に係止されるように構成されている。
【００３１】
被係合部材３２は、整流板３０の上面３０ａに設けられている。本実施の形態では、２つの被係合部材３２が設けられている。２つの被係合部材３２は、整流板３０の左右方向の両側に１つずつ配置されている。２つの被係合部材３２は、整流板３０の後側に配置されている。整流板３０の２つの被係合部材３２の各々は、フード１０の２つの係合部材１６の各々にそれぞれ対応する位置に配置されている。整流板３０の被係合部材３２は、整流板３０が閉じられた状態で、整流板３０の上面３０ａから上方へ突き出すように構成されている。整流板３０の被係合部材３２は、フード１０の係合部材１６に係合されるように構成されている。整流板３０の被係合部材３２は、係合部材１６の左右延材部に回転自在に係合されている。
【００３２】
ストッパー部材３３は、整流板３０が閉じられた際に内装パネル１２と接触可能に構成されている。整流板３０が閉じられた際にストッパー部材３３が内装パネル１２に接触することにより整流板３０と内装パネル１２との間隔が保持され得る。ストッパー部材３３は、整流板３０の上面３０ａに設けられている。ストッパー部材３３は、整流板３０の左右方向の中央に配置されている。
【００３３】
図２および図３に示されるように、フード１０の係合部材１６の左右延材部を回転軸として整流板３０の被係合部材３２が回転することにより、整流板３０は上下方向に回転するように構成されている。図３中矢印Ａで示されるように、整流板３０は、被係止部材３１が係止部材１００に係止された状態と、被係止部材３１と係止部材１００との係止が解除された状態との間で回転するように構成されている。なお、説明の便宜のため、図３では、整流板３０の被係止部材３１とフード１０の係止部材１００との係止が解除された状態は破線で図示されている。被係止部材３１の被係止孔３１ｂに係止部材１００の突起部１０４（図６）が挿入された状態で、被係止本体部３１ａが突起部１０４に係止されることにより、被係止部材３１は係止部材１００に係止されている。
【００３４】
図４に示されるように、整流板３０が閉じられた状態で、２つの係止部材１００の各々は、左右方向において整流板３０の両端に向かい合うように配置されている。整流板３０が閉じられた状態で、２つの係合部材１６および２つの被係合部材３２は、左右方向において２つの係止部材１００の間に配置されている。
【００３５】
図５〜図７を参照して、整流板３０の被係止部材３１およびフード１０の係止部材１００の構成についてさらに詳しく説明する。
【００３６】
図５に示されるように、整流板３０の被係止部材３１の被係止本体部３１ａは、被係止支持部３１ａ１と、被係止直線部３１ａ２と、被係止傾斜部３１ａ３とを含んでいる。被係止支持部３１ａ１は、整流板３０の上面３０ａに取り付けられている。被係止直線部３１ａ２は、被係止支持部３１ａ１から整流板３０の下面３０ｂと反対側に向けて立ち上がるように構成されている。整流板３０が閉じられた状態で、被係止直線部３１ａ２は、上方に直線状に延びるように構成されている。被係止直線部３１ａ２に被係止孔３１ｂが設けられている。被係止傾斜部３１ａ３は、被係止直線部３１ａ２の先端に接続されている。被係止傾斜部３１ａ３は、被係止直線部３１ａ２に対して被係止支持部３１ａ１と反対側に配置されている。整流板３０が閉じられた状態で、被係止傾斜部３１ａ３は、外側に向けて上方に斜めに延びるように構成されている。
【００３７】
フード１０の係止部材１００は、上部筐体１０１と、下部筐体１０２と、保持部１０３と、突起部１０４と、第１軸１０５と、第２軸１０６と、弾性部材１０７と、ビス１０８，１０９とを含んでいる。なお、図６および図７では、説明の便宜のため、ビス１０８，１０９は図示されていない。
【００３８】
上部筐体１０１は、ビス１０８により内装パネル１２に固定されている。ビス１０８は、係止部材１００の内側から内装パネル１２に固定されている。下部筐体１０２は、ビス１０９により上部筐体１０１に固定されている。ビス１０９は、係止部材１００の外側から上部筐体１０１に固定されている。上部筐体１０１および下部筐体１０２は、係止部材１００の筐体を構成している。
【００３９】
上部筐体１０１および下部筐体１０２の内部に保持部１０３、第１軸１０５、第２軸１０６および弾性部材１０７が収容されている。突起部１０４は、保持部１０３から第１方向Ｄ１に向けて突き出すように構成されている。突起部１０４は、下部筐体１０２から第１方向Ｄ１に向けて突き出すように構成されている。整流板３０が閉じられた状態で、突起部１０４は、整流板３０の被係止部材３１の被係止孔３１ｂに挿入されており、被係止直線部３１ａ２から第１方向Ｄ１に向けて突き出している。突起部１０４は、被係止部材３１に当接可能な当接部ＴＰを有している（図８）。
【００４０】
図６および図７に示されるように、上部筐体１０１は、天面部１０１ａと、第１背面部１０１ｂと、張出部１０１ｃとを含んでいる。天面部１０１ａは、係止部材１００の筐体の天面を構成している。天面部１０１ａには天面孔１０１ａ１が設けられている。天面孔１０１ａ１に挿入されたビス１０８により、係止部材１００は、内装パネル１２に固定されている（図５）。第１背面部１０１ｂは、係止部材１００の筐体の背面の一部を構成している。第１背面部１０１ｂには第１背面孔１０１ｂ１が設けられている。第１背面孔１０１ｂ１に挿入されたビス１０９により、上部筐体１０１は、下部筐体１０２に固定されている（図５）。張出部１０１ｃは、天面部１０１ａから側方に張り出すように構成されている。張出部１０１ｃは、天面部１０１ａの正面側の端部に配置されている。
【００４１】
下部筐体１０２は、正面部１０２ａと、第２背面部１０２ｂと、第１側面部１０２ｃと、第２側面部１０２ｄと、底面部１０２ｅと、一対の屈曲部１０２ｆと、一対の溝部１０２ｇとを含んでいる。正面部１０２ａは、係止部材１００の筐体の正面を構成している。正面部１０２ａには正面孔１０２ａ１が設けられている。正面孔１０２ａ１から突起部１０４が第１方向Ｄ１に向けて突き出している。正面孔１０２ａ１は、正面孔１０２ａ内で突起部１０４を回転可能に構成されている。第２背面部１０２ｂには第２背面孔１０２ｂ１が設けられている。第２背面孔１０２ｂ１は第１背面孔１０１ｂ１に連通している。第１背面孔１０１ｂ１および第２背面孔１０２ｂ１に挿入されたビス１０９により、第１背面部１０１ｂは第２背面部１０２ｂに固定されている（図５）。
【００４２】
第１側面部１０２ｃは、係止部材１００の筐体の一方の側面を構成している。第１側面部１０２ｃには第１側面下孔１０２ｃ１および第１側面上孔１０２ｃ２が設けられている。第２側面部１０２ｄは、係止部材１００の筐体の他方の側面を構成している。第２側面部１０２ｄには第２側面下孔１０２ｄ１および第２側面上孔１０２ｄ２が設けられている。
【００４３】
第１側面部１０２ｃおよび第２側面部１０２ｄの各々の上端に一対の屈曲部１０２ｆが設けられている。一対の屈曲部１０２ｆは、第１側面部１０２ｃおよび第２側面部１０２ｄの各々の上端から上方に突き出してから正面に向けて屈曲している。一対の屈曲部１０２ｆと第１側面部１０２ｃおよび第２側面部１０２ｄの各々との間に一対の溝部１０２ｇが設けられている。一対の溝部１０２ｇの各々に張出部１０１ｃが挿入されている。
【００４４】
保持部１０３は、保持本体部１０３ａと、第１側部１０３ｂと、第２側部１０３ｃとを含んでいる。保持本体部１０３ａに突起部１０４が接続されている。保持本体部１０３ａは、第１側部１０３ｂと、第２側部１０３ｃとに挟まれている。
【００４５】
保持部１０３は、第１溝部ＳＰ１および第２溝部ＳＰ２を含んでいる。第１側部１０３ｂおよび第２側部１０３ｃの各々に、第１溝部ＳＰ１および第２溝部ＳＰ２が設けられている。
【００４６】
第１溝部ＳＰ１は、第１軸１０５が挿入されるように構成されている。第１溝部ＳＰ１は、第１軸１０５に対して上下方向に移動可能に構成されている。第１溝部ＳＰ１は、第１軸１０５に対して保持部１０３の回転方向に揺動可能に構成されている。
【００４７】
第１溝部ＳＰ１は、第１下部ＤＰ１と、第１上部ＵＰ１と、第１湾曲部ＣＰ１とを含んでいる。第１上部ＵＰ１は、第１下部ＤＰ１から上方に突き出すように構成されている。第１湾曲部ＣＰ１は、第１下部ＤＰ１および第１上部ＵＰ１の中央から第１方向Ｄ１に向けて上方へ湾曲しながら延びるように構成されている。第１下部ＤＰ１は、第１湾曲部ＣＰ１から下方へ突き出すように構成されている。第１上部ＵＰ１は、第１湾曲部ＣＰ１から上方へ突き出すように構成されている。
【００４８】
第２溝部ＳＰ２は、第２軸１０６が挿入されるように構成されている。第２溝部ＳＰ２は、第２軸１０６に対して上下方向に移動可能に構成されている。第２溝部ＳＰ２は、第２軸１０６に対して保持部１０３の回転方向に揺動可能に構成されている。
【００４９】
第２溝部ＳＰ２は、第２下部ＤＰ２と、第２上部ＵＰ２と、第２湾曲部ＣＰ２とを含んでいる。第２上部ＵＰ２は、第２下部ＤＰ２から上方に突き出すように構成されている。第２湾曲部ＣＰ２は、第２下部ＤＰ２から第１方向Ｄ１に向けて下方へ湾曲しながら延びるように構成されている。第２下部ＤＰ２は、第２湾曲部ＣＰ２から下方へ突き出していない。第２上部ＵＰ２は、第２湾曲部ＣＰ２から上方へ突き出すように構成されている。第２上部ＵＰ２が第２湾曲部ＣＰ２から上方へ突き出す寸法は、第１上部ＵＰ１が第１湾曲部ＣＰ１から上方へ突き出す寸法よりも大きい。
【００５０】
突起部１０４は、直線部１０４ａと、傾斜部１０４ｂとを含んでいる。直線部１０４ａは、保持部１０３から第１方向Ｄ１に直線状に突き出すように構成されている。傾斜部１０４ｂは直線部１０４ａに接続されている。なお、傾斜部１０４ｂと直線部１０４ａとの接続部分は湾曲している。傾斜部１０４ｂは、第１方向Ｄ１と反対の第２方向Ｄ２に向けて下方へ斜めに延びるように構成されている。
【００５１】
第１軸１０５は、保持部１０３を回転自在に支持可能に構成されている。第１軸１０５は、第１側面部１０２ｃの第１側面下孔１０２ｃ１、第１側部１０３ｂおよび第２側部１０３ｃの各々の第１溝部ＳＰ１、第２側面部１０２ｄの第２側面下孔１０２ｄ１に連続して挿入されている。したがって、第１軸１０５は、第１側面部１０２ｃから第２側面部１０２ｄにわたって延びている。
【００５２】
第１軸１０５は、頭部１０５ａと、リング部材１０５ｂとを有している。頭部１０５ａは、第１軸１０５の一方端部に設けられている。リング部材１０５ｂは、第１軸１０５の他方端部に設けられている。第１軸１０５が下部筐体１０２に支持された状態で、頭部１０５ａは第１側面部１０２ｃの外側に位置しており、リング部材１０５ｂは第２側面部１０２ｄの外側に位置している。つまり、第１軸１０５の頭部１０５ａおよびリング部材１０５ｂにより下部筐体１０２が挟まれている。第１軸１０５は、リング部材１０５ｂを着脱することにより下部筐体１０２に着脱可能に取り付けられている。
【００５３】
第２軸１０６は、保持部１０３を回転自在に支持可能に構成されている。第２軸１０６は、第１側面部１０２ｃの第１側面上孔１０２ｃ２、第１側部１０３ｂおよび第２側部１０３ｃの各々の第２溝部ＳＰ２、第２側面部１０２ｄの第２側面上孔１０２ｄ２に連続して挿入されている。したがって、第２軸１０６は、第１側面部１０２ｃから第２側面部１０２ｄにわたって延びている。
【００５４】
第２軸１０６は、頭部１０６ａと、リング部材１０６ｂとを有している。頭部１０６ａは、第２軸１０６の一方端部に設けられている。リング部材１０６ｂは、第２軸１０６の他方端部に設けられている。第２軸１０６が下部筐体１０２に支持された状態で、頭部１０６ａは第１側面部１０２ｃの外側に位置しており、リング部材１０６ｂは第２側面部１０２ｄの外側に位置している。つまり、第２軸１０６の頭部１０６ａおよびリング部材１０６ｂにより下部筐体１０２が挟まれている。第２軸１０６は、リング部材１０６ｂを着脱することにより下部筐体１０２に着脱可能に取り付けられている。
【００５５】
弾性部材１０７は、保持部１０３に対して突起部１０４と反対側に配置されている。弾性部材１０７は、保持本体部１０３ａと下部筐体１０２の第２背面部１０２ｂとの間に配置されている。弾性部材１０７は、保持部１０３を第１方向Ｄ１に付勢するように構成されている。弾性部材１０７は、第１方向Ｄ１および第２方向Ｄ２に伸縮するように弾性変形可能に構成されている。弾性部材１０７は、たとえばコイルバネである。
【００５６】
図８〜図１３を参照して、フード１０の係止部材１００の動作について説明する。なお、図８〜図１３では、説明の便宜のため、フード１０の係止部材１００および整流板３０の被係止部材３１の一部が図示されている。
【００５７】
図８および図９を参照して、フード１０の係止部材１００の装着時について説明する。図８は、整流板３０の被係止部材３１がフード１０の係止部材１００に装着される時に、被係止部材３１が係止部材１００に下方から当接することにより保持部１０３が持ち上げられた状態を示している。
【００５８】
図８に示されるように、フード１０の係止部材１００の突起部１０４は、当接部ＴＰを有している。当接部ＴＰは、被係止部材３１に当接可能に構成されている。当接部ＴＰは、装着時に被係止部材３１に当接する部分である。本実施の形態では、当接部ＴＰは、傾斜部１０４ｂに設けられている。
【００５９】
第１軸１０５は、第１方向Ｄ１において突起部１０４の当接部ＴＰよりも保持部１０３側かつ突起部１０４の下側で保持部１０３を回転支持するように構成されている。本実施の形態では、第１軸１０５は、第１方向Ｄ１において保持部１０３と突起部１０４との接続部分よりも保持部１０３側に配置されている。
【００６０】
第２軸１０６は、第１方向Ｄ１において突起部１０４の当接部ＴＰよりも保持部１０３側かつ突起部１０４の上側で保持部１０３を回転支持するように構成されている。本実施の形態では、第２軸１０６は、第１方向Ｄ１において保持部１０３と突起部１０４との接続部分よりも保持部１０３側に配置されている。第１軸１０５および第２軸１０６は、上下方向において突起部１０４の両側に配置されている。
【００６１】
被係止部材３１が突起部１０４の当接部ＴＰに下方から当接することにより保持部１０３が上方に持ち上げられる。この状態では、第１軸１０５は、第１溝部ＳＰ１の第１下部ＤＰ１に嵌合している。他方、第２軸１０６は、第２溝部ＳＰ２の第２下部ＤＰ２および第２上部ＵＰ２に嵌合しておらず第２湾曲部ＣＰ２へ移動可能な状態で第２下部ＤＰ２に位置している。このため、保持部１０３は、第１軸１０５を中心に上方へ向けて回転可能となる。つまり、保持部１０３は、第１軸１０５を中心に、図８中で時計回りに回転可能となる。
【００６２】
図９は、整流板３０の被係止部材３１がフード１０の係止部材１００に装着される時に、被係止部材３１が係止部材１００に下方から当接しつつ上方へ押し込まれることにより保持部１０３が上方へ向けて回転した状態を示している。
【００６３】
図９に示されるように、被係止部材３１が突起部１０４の当接部ＴＰに下方から当接しつつ上方へ押し込まれることにより保持部１０３が上方へ向けて回転している。この状態では、第１軸１０５は、第１溝部ＳＰ１の第１下部ＤＰ１に嵌合している。他方、第２軸１０６は、第２湾曲部ＣＰ２に沿って第２溝部ＳＰ２に対して第１方向Ｄ１に相対的に移動している。このようにして、保持部１０３は、第１軸１０５を中心に上方へ向けて回転している。つまり、保持部１０３は、第１軸１０５を中心に、図８中で時計回りに回転している。この状態では、弾性部材１０７は、弾性部材１０７の付勢力に抗して縮んでいる。
【００６４】
被係止部材３１がさらに上方へ押し込まれ、突起部１０４が被係止孔３１ｂに重なると、弾性部材１０７が付勢力に抗して縮む前の状態に戻されることにより保持部１０３が回転前の状態に戻される。このため、突起部１０４が被係止孔３１ｂ内に挿入される。このようにして、整流板３０の被係止部材３１がフード１０の係止部材１００に保持された状態となる。
【００６５】
図１０を参照して、フード１０の係止部材１００の保持状態について説明する。図１０は、整流板３０の被係止部材３１がフード１０の係止部材１００に保持された状態を示している。
【００６６】
図１０に示されるように、第１軸１０５が第１溝部ＳＰ１の第１上部ＵＰ１に嵌合し、かつ第２軸１０６が第２溝部ＳＰ２の第２上部ＵＰ２に嵌合した状態で、保持部１０３は、回転を抑制するように構成されている。
【００６７】
保持状態では、整流板３０の自重で保持部１０３荷重がかかることにより、第１軸１０５は第１上部ＵＰ１に第１溝部ＳＰ１に対して相対的に移動し、第２軸１０６は第２上部ＵＰ２に第２溝部ＳＰ２に対して相対的に移動する。そして、第１軸１０５が第１溝部ＳＰ１の第１上部ＵＰ１に嵌合し、かつ第２軸１０６が第２溝部ＳＰ２の第２上部ＵＰ２に嵌合する。このように、第１軸１０５および第２軸１０６の両方により保持部１０３が規制されるため、保持部１０３の回転が抑制される。
【００６８】
図１１および図１２を参照して、フード１０の係止部材１００の取外し状態について説明する。図１１は、整流板３０の被係止部材３１がフード１０の係止部材１００から取り外される時に、操作者によって突起部１０４が第２方向Ｄ２に押し込まれることにより保持部１０３が上方に向けて移動した状態を示している。
【００６９】
図１１に示されるように、保持部１０３が上方に向けて移動することにより第１軸１０５と第１溝部ＳＰ１の第１上部ＵＰ１との嵌合が解除され、かつ第２軸１０６が第２溝部ＳＰ２の第２上部ＵＰ２に嵌合した状態で、保持部１０３は、第２軸１０６を中心に回転するように構成されている。
【００７０】
取外し状態では、整流板３０の被係止部材３１がフード１０の係止部材１００から取り外される時に、操作者によって突起部１０４が第２方向Ｄ２に押し込まれることにより保持部１０３が上方に向けて移動している。このとき、第１軸１０５は、第１溝部ＳＰ１の第１下部ＤＰ１および第２上部ＵＰ２に嵌合しておらず第１湾曲部ＣＰ１へ移動可能な状態で第１下部ＤＰ１および第１上部ＵＰ１の中央に位置している。第１軸１０５は、第１上部ＵＰ１と第１湾曲部ＣＰ１との間の山を乗り越えて第１湾曲部ＣＰ１へ移動可能となる。このため、保持部１０３は、第２軸１０６を中心に下方へ向けて回転可能となる。つまり、保持部１０３は、第１軸１０５を中心に、図１１中で反時計回りに回転可能となる。
【００７１】
図１２は、整流板３０の被係止部材３１がフード１０の係止部材１００から取り外される時に、操作者によって突起部１０４が第２方向Ｄ２に押し込まれることにより保持部１０３が下方へ向けて回転した状態を示している。
【００７２】
図１２に示されるように、整流板３０の被係止部材３１がフード１０の係止部材１００から取り外される時に、操作者によって突起部１０４が第２方向Ｄ２に押し込まれることにより保持部１０３が下方へ向けて回転している。この状態では、第１軸１０５は、第１湾曲部ＣＰ１に沿って第１溝部ＳＰ１に対して第１方向Ｄ１に相対的に移動している。他方、第２軸１０６は、第２溝部ＳＰ２の第２上部ＵＰ２に嵌合している。このようにして、保持部１０３は、第２軸１０６を中心に下方へ向けて回転している。つまり、保持部１０３は、第２軸１０６を中心に、図８中で反時計回りに回転している。この状態では、弾性部材１０７は、弾性部材１０７の付勢力に抗して縮んでいる。被係止部材３１の被係止孔３１ｂから突起部１０４が押し出されることにより、整流板３０の被係止部材３１がフード１０の係止部材１００から取り外される。
【００７３】
図１３は、図８〜図１２で示されるフード１０の係止部材１００の動作における第１軸１０５および第２軸１０６の位置を示している。
【００７４】
図１３に示されるように、整流板３０の装着時には、第１軸１０５が保持部１０３の回転軸となる。この状態での第１軸１０５の位置が第１位置Ｓ１である。整流板３０の保持状態では、第１軸１０５および第２軸１０６により保持部１０３の回転が抑制される。この状態での第１軸１０５および第２軸１０６の位置が第２位置Ｓ２である。整流板３０の取外し状態では、第２軸１０６が保持部１０３の回転軸となる。この状態での第２軸１０６の位置が第３位置Ｓ３である。
【００７５】
すなわち、フード１０の係止部材１００は、複数の動作軸を有している。係止部材１００の動作によって動作軸が変化する。まず、整流板３０の装着時には第１位置Ｓ１に位置する第１軸１０５を支点に保持部１０３が上方に向けて回転する。続いて、整流板３０の保持状態では第２位置Ｓ２に位置する第１軸１０５および第２軸１０６により保持部１０３の回転が抑制される。さらに、整流板３０の取外し時には第３位置Ｓ３に位置する第２軸１０６を支点に保持部１０３が下方に向けて回転する。
【００７６】
なお、上記では、第１軸１０５および第２軸１０６の各々は、第１側面部１０２ｃから第２側面部１０２ｄにわたって延びている。しかしながら、第１軸１０５および第２軸１０６の各々は、第１側面部１０２ｃおよび第２側面部１０２ｄの各々から内側に突き出した突起であってもよい。つまり、第１軸１０５および第２軸１０６は、第１側面部１０２ｃから第２側面部１０２ｄにわたって延びていなくてもよい。
【００７７】
次に、本実施の形態に係るレンジフード１の作用効果について説明する。
本実施の形態に係るレンジフード１によれば、係止部材１００の第１軸１０５は、第１方向Ｄ１において突起部１０４の当接部ＴＰよりも保持部１０３側かつ突起部１０４の下側で保持部１０３を回転支持する。このため、整流板３０の被係止部材３１が突起部１０４の当接部ＴＰに当接したときに、保持部１０３は第１軸１０５を中心に回転する。したがって、整流板３０の被係止部材３１の位置がずれた場合でも、保持部１０３は第１軸１０５を中心に回転することが容易である。よって、被係止部材３１の位置のずれを許容できるため、整流板３０の被係止部材３１にフード１０の係止部材１００を係止する作業が容易となる。
【００７８】
本実施の形態に係るレンジフード１によれば、係止部材１００の第１軸１０５が第１溝部ＳＰ１の第１上部ＵＰ１に嵌合し、かつ第２軸１０６が第２溝部ＳＰ２の第２上部ＵＰ２に嵌合した状態で、保持部１０３は、回転を抑制するように構成されている。このため、第１軸１０５が第１溝部ＳＰ１の第１上部ＵＰ１に嵌合し、かつ第２軸１０６が第２溝部ＳＰ２の第２上部ＵＰ２に嵌合することにより、保持部１０３の回転を抑制することができる。
【００７９】
本実施の形態に係るレンジフード１によれば、係止部材１００の保持部１０３が上方に向けて移動することにより第１軸１０５と第１溝部ＳＰ１の第１上部ＵＰ１との嵌合が解除され、かつ第２軸１０６が第２溝部ＳＰ２の第２上部ＵＰ２に嵌合した状態で、保持部１０３は、第２軸１０６を中心に回転するように構成されている。このため、保持部１０３が上方に向けて移動することにより第１軸１０５と第１溝部ＳＰ１の第１上部ＵＰ１との嵌合が解除され、かつ第２軸１０６が第２溝部ＳＰ２の第２上部ＵＰ２に嵌合することにより、保持部１０３が第２軸１０６を中心に回転する。これにより、整流板３０の被係止部材３１へのフード１０の係止部材１００の係止を解除することができる。したがって、整流板３０の被係止部材３１へのフード１０の係止部材１００の係止を解除する作業が容易となる。
【００８０】
本実施の形態に係るレンジフード１によれば、係止部材１００の弾性部材１０７は、保持部１０３に対して突起部１０４と反対側に配置されており、かつ保持部１０３を第１方向Ｄ１に付勢するように構成されている。このため、弾性部材１０７により保持部１０３を第１方向Ｄ１に付勢することができる。したがって、弾性部材１０７が回転したときに弾性部材１０７により保持部１０３を回転する前の状態に戻すことができる。
【００８１】
本実施の形態に係るレンジフード１によれば、突起部１０４の傾斜部１０４ｂは、第１方向Ｄ１と反対の第２方向Ｄ２に向けて下方へ斜めに延びるように構成されている。このため、整流板３０の被係止部材３１が下方から突起部１０４の当接部ＴＰに当接したときに、保持部１０３は第１軸１０５を中心に上方へ回転し易くなる。
【００８２】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００８３】
１  レンジフード、１０  フード、１１  吸込口、１２  内装パネル、１３  隙間、１４  ベルマウス、１５  流入口、１６  係合部材、２０  本体部、２１  本体ハウジング、２２  ファン、２３  スピンナー、３０  整流板、３１  被係止部材、３１ａ  被係止本体部、３１ｂ  被係止孔、３２  被係合部材、１００  係止部材、１０１  上部筐体、１０２  下部筐体、１０３  保持部、１０３ａ  保持本体部、１０３ｂ  第１側部、１０３ｃ  第２側部、１０４  突起部、１０４ａ  直線部、１０４ｂ  傾斜部、１０５  第１軸、１０６  第２軸、１０７  弾性部材、ＣＰ１  第１湾曲部、ＣＰ２  第２湾曲部、Ｄ１  第１方向、Ｄ２  第２方向、ＤＰ１  第１下部、ＤＰ２  第２下部、Ｓ１  第１位置、Ｓ２  第２位置、Ｓ３  第３位置、ＳＰ１  第１溝部、ＳＰ２  第２溝部、ＴＰ  当接部、ＵＰ１  第１上部、ＵＰ２  第２上部。
【図１】
2020106236.tif 000003
【図２】
2020106236.tif 000004
【図３】
2020106236.tif 000005
【図４】
2020106236.tif 000006
【図５】
2020106236.tif 000007
【図６】
2020106236.tif 000008
【図７】
2020106236.tif 000009
【図８】
2020106236.tif 000010
【図９】
2020106236.tif 000011
【図１０】
2020106236.tif 000012
【図１１】
2020106236.tif 000013
【図１２】
2020106236.tif 000014
【図１３】
2020106236.tif 000015